(57)【要約】  空気調和機は、ユーザが利用する居室に設けられている。部品仕様算出部（２２０）は、ユーザ要求（５２）と居室情報（２５１）とに基づいて、空気調和機の気流の制御に用いられる気流制御部品をユーザ要求（５２）に応じてカスタマイズしたカスタマイズ部品の仕様を部品仕様（５３）として算出する。ユーザ要求（５２）は、空気調和機の気流に対するユーザの要求である。居室情報（２５１）は、居室の状況を表す。装置送信部（２３０）は、部品仕様（５３）をユーザのユーザ端末に送信する。
2021064914.tif 000002
【特許請求の範囲】
【請求項１】
ユーザが利用する居室に設けられた空気調和機の気流に対する前記ユーザの要求であるユーザ要求と、前記居室の状況を表す居室情報とに基づいて、前記空気調和機の気流の制御に用いられる気流制御部品を前記ユーザ要求に応じてカスタマイズしたカスタマイズ部品の仕様を部品仕様として算出する部品仕様算出部と、
前記部品仕様を前記ユーザのユーザ端末に送信する装置送信部と
を備えた部品カスタマイズ装置。
【請求項２】
前記部品仕様算出部は、
３次元プリンタに入力されると、前記カスタマイズ部品が前記３次元プリンタから出力される前記部品仕様を算出する請求項１に記載の部品カスタマイズ装置。
【請求項３】
前記部品カスタマイズ装置は、
前記空気調和機のセンサ部からセンサ情報を受信し、前記センサ情報に基づいて、前記ユーザのライフスタイルを表すライフスタイル情報であって前記居室情報を含むライフスタイル情報を演算するセンサ演算部を備えた請求項１または請求項２に記載の部品カスタマイズ装置。
【請求項４】
前記センサ演算部は、
前記センサ情報に基づいて、前記ユーザの好みを含む前記ライフスタイル情報を学習し、
前記部品仕様算出部は、
前記ライフスタイル情報に含まれる前記ユーザの好みを前記ユーザ要求として、前記部品仕様を算出する請求項３に記載の部品カスタマイズ装置。
【請求項５】
前記部品仕様算出部は、
前記気流制御部品と交換するための前記カスタマイズ部品の前記部品仕様を算出する請求項１から請求項４のいずれか１項に記載の部品カスタマイズ装置。
【請求項６】
前記部品仕様算出部は、
前記気流制御部品に装着するための前記カスタマイズ部品の前記部品仕様を算出する請求項１から請求項４のいずれか１項に記載の部品カスタマイズ装置。
【請求項７】
ユーザが利用するユーザ端末と、前記ユーザが利用する居室に設けられた空気調和機と、前記ユーザ端末と前記空気調和機との各々と通信する部品カスタマイズ装置とを備えた部品カスタマイズシステムにおいて、
前記ユーザ端末は、
前記空気調和機の気流に対する前記ユーザの要求であるユーザ要求を受け付け、前記部品カスタマイズ装置に送信する要求受付部を備え、
前記部品カスタマイズ装置は、
前記居室の状況を表す居室情報を記憶する記憶部と、
前記ユーザ端末から送信された前記ユーザ要求と、前記居室情報とに基づいて、前記空気調和機の気流の制御に用いられる気流制御部品を前記ユーザ要求に応じてカスタマイズしたカスタマイズ部品の仕様を部品仕様として算出する部品仕様算出部と、
前記部品仕様を前記ユーザ端末に送信する装置送信部と
を備え、
前記ユーザ端末は、
前記部品カスタマイズ装置から送信された前記部品仕様を前記ユーザに提示する提示部を備えた部品カスタマイズシステム。
【請求項８】
部品仕様算出部が、ユーザが利用する居室に設けられた空気調和機の気流に対する前記ユーザの要求であるユーザ要求と、前記居室の状況を表す居室情報とに基づいて、前記空気調和機の気流の制御に用いられる気流制御部品を前記ユーザ要求に応じてカスタマイズしたカスタマイズ部品の仕様を部品仕様として算出し、
装置送信部が、前記部品仕様を前記ユーザのユーザ端末に送信する部品カスタマイズ方法。
【請求項９】
ユーザが利用する居室に設けられた空気調和機の気流に対する前記ユーザの要求であるユーザ要求と、前記居室の状況を表す居室情報とに基づいて、前記空気調和機の気流の制御に用いられる気流制御部品を前記ユーザ要求に応じてカスタマイズしたカスタマイズ部品の仕様を部品仕様として算出する部品仕様算出処理と、
前記部品仕様を前記ユーザのユーザ端末に送信する装置送信処理と
をコンピュータに実行させる部品カスタマイズプログラム。
【発明の詳細な説明】
【技術分野】
【０００１】
本発明は、部品カスタマイズ装置、部品カスタマイズシステム、部品カスタマイズ方法、および部品カスタマイズプログラムに関する。
【背景技術】
【０００２】
近年、ユーザのライフスタイルに応じて最適な空気調和制御を行う空気調和機の需要が高まっている。例えば、空気調和機の気流を制御する部品の形状を変更することにより、よりきめ細やかな空気調和制御が実現できる。【０００３】
特許文献１には、ルーバーといった部品の種類を変えることによって、部屋ごとに最適な吹出し特性を持たせることが開示されている。空気調和機を販売するときに、予め数種類のルーバーを用意しておき、空気調和機を取り付ける部屋の状況に応じてルーバーを交換することにより最適な吹き出し特性を得ることが開示されている。
【先行技術文献】
【特許文献】
【０００４】
【特許文献１】特開２００３−３２９２９５号公報
【発明の概要】
【発明が解決しようとする課題】
【０００５】
通常、住宅は、部屋形状、あるいは、設置家具といった居室状況がユーザ毎に異なる。このようにユーザ毎に異なる居室状況に対応して、空気調和機において最適な気流制御を実現することは、大量生産された量産品にとっては大変困難である。特許文献１では、空気調和機を販売するときに予め何種類かのルーバーを用意しておく。そして、部屋の状況に応じてルーバーを交換する。しかし、特許文献１では、何種類かのルーバーから選択できるに過ぎず、居室状況に対応して最適な気流制御を実現することはできない。また、ユーザ自身が何種類かのルーバーを所持するわけではないため、居室状況の変化に対応することが困難である。【０００６】
本発明に係る部品カスタマイズ装置は、気流制御部品を居室状況に対応する最適なものに、ユーザ自身で変更可能とすることを目的とする。
【課題を解決するための手段】
【０００７】
本発明に係る部品カスタマイズ装置は、
ユーザが利用する居室に設けられた空気調和機の気流に対する前記ユーザの要求であるユーザ要求と、前記居室の状況を表す居室情報とに基づいて、前記空気調和機の気流の制御に用いられる気流制御部品を前記ユーザ要求に応じてカスタマイズしたカスタマイズ部品の仕様を部品仕様として算出する部品仕様算出部と、
前記部品仕様を前記ユーザのユーザ端末に送信する装置送信部と
を備えた。
【発明の効果】
【０００８】
本発明に係る部品カスタマイズ装置によれば、空気調和機に備えられた気流制御部品を、居室状況に対応して最適なものにカスタマイズすることができる。
【図面の簡単な説明】
【０００９】
【図１】実施の形態１に係る部品カスタマイズシステムの構成図。
【図２】実施の形態１に係る空気調和機の冷房運転時の冷媒回路。
【図３】実施の形態１に係る空気調和機の暖房運転時の冷媒回路。
【図４】実施の形態１に係る部品カスタマイズ装置の構成図。
【図５】実施の形態１に係る空気調和機の構成図。
【図６】実施の形態１に係るユーザ端末の構成図。
【図７】実施の形態１に係る部品カスタマイズシステムの動作のフロー図。
【図８】実施の形態１に係るライフスタイル情報の一例。
【図９】実施の形態１に係るライフスタイル情報の更新処理のフロー図。
【図１０】実施の形態１に係る部品カスタマイズ処理の具体例を説明する図。
【図１１】実施の形態１に係る空気調和機の例を示す図。
【図１２】実施の形態１の変形例に係る部品カスタマイズ装置の構成図。
【図１３】実施の形態１の変形例に係る空気調和機の構成図。
【図１４】実施の形態１の変形例に係るユーザ端末の構成図。
【発明を実施するための形態】
【００１０】
以下、本実施の形態について、図を用いて説明する。各図中、同一または相当する部分には、同一符号を付している。実施の形態の説明において、同一または相当する部分については、説明を適宜省略または簡略化する。また、以下の図では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向および向きを限定するものではない。
【００１１】
実施の形態１．
本実施の形態の構成について、図１から図６を用いて説明する。
【００１２】
＊＊＊構成の説明＊＊＊
図１は、本実施の形態に係る部品カスタマイズシステム５００の構成を示す図である。
部品カスタマイズシステム５００は、ユーザ３０が利用するユーザ端末３００と、ユーザ３０が利用する居室４０に設けられた空気調和機１００と、ユーザ端末３００と空気調和機１００との各々と通信する部品カスタマイズ装置２００とを備える。
【００１３】
空気調和機１００は、ユーザ３０が生活する居室４０に設置される。居室４０は、１つの部屋だけでなく、空気調和機１００が設置された住居内のエリアを指すものとする。居室は、ユーザ宅内、あるいは宅内エリアともいう。空気調和機１００は、冷房および暖房といった機能を実現する冷凍サイクル装置である。
空気調和機１００は、Ｗｉ−Ｆｉ（登録商標）といった無線ＬＡＮ（Ｌｏｃａｌ  Ａｒｅａ  Ｎｅｔｗｏｒｋ）１２を介して、ユーザ端末３００と通信する。また、空気調和機１００は、インターネットといったネットワーク２０を介して、部品カスタマイズ装置２００と通信する。
【００１４】
部品カスタマイズ装置２００は、具体的には、クラウドシステムに設けられたクラウドサーバである。
図１では、ユーザ端末３００は、無線ＬＡＮ１２、空気調和機１００、およびネットワーク２０を介して、部品カスタマイズ装置２００と通信する。すなわち、ユーザ端末３００と部品カスタマイズ装置２００との間で通信される情報は、空気調和機１００により中継される。しかし、ユーザ端末３００と部品カスタマイズ装置２００との間で通信される情報は、ネットワーク２０を介して直接通信されてもよい。
【００１５】
ユーザ端末３００は、具体的には、スマートフォン端末、タブレット端末、あるいはＰＣ（Ｐｅｒｓｏｎａｌ  Ｃｏｍｐｕｔｅｒ）といったコンピュータ端末である。
【００１６】
空気調和機１００は、センサ部１０１と気流制御部品１０２を備える。気流制御部品１０２は、空気調和機１００の気流の制御に用いられる部品である。気流制御部品１０２は、具体的には、上下フラップあるいは左右フラップといった部品である。左右フラップはルーバーともいう。
センサ部１０１は、居室４０の状況をセンシングする。居室４０の状況とは、具体的には、部屋形状、高断熱あるいは低断熱といった宅内の熱負荷、家具配置、ユーザの生活エリア、あるいはユーザの動線といった居室４０の状況である。これらの居室４０の状況は居室情報２５１として、リアルタイムにライフスタイル情報２５０に設定される。センサ部１０１は、具体的には、室内の絶対温度を検知する赤外線センサである。また、センサ部１０１は、室内を撮像するカメラといった機器も含んでいてもよい。さらに、センサ部１０１は、空気調和機１００の気流到達度をリアルタイムでセンシング可能とするセンサにより、居室４０における気流到達限界範囲をセンシングする。そして、現在の居室４０における気流到達限界範囲は、居室情報２５１に設定される。
空気調和機１００は、回転しながら居室４０の温度を検知するセンサ部１０１を備える。センサ部１０１は、例えば、左右方向に３６０度回転することにより、１枚の熱画像を生成する。そして、センサ部１０１が回転することで生成される熱画像と、前回の回転で生成された熱画像との差分を取ることで、居室４０におけるユーザの居住位置および室内の温度といった室内の状態を検知する。
【００１７】
図２および図３を参照して、空気調和機１００の構成を説明する。
図２は、冷房運転時の冷媒回路３１を示している。図３は、暖房運転時の冷媒回路３１を示している。
【００１８】
空気調和機１００は、冷媒が循環する冷媒回路３１を備える。空気調和機１００は、圧縮機３２と、四方弁３３と、室外熱交換器である第１熱交換器３４と、膨張弁である膨張機構３５と、室内熱交換器である第２熱交換器３６とをさらに備える。圧縮機３２、四方弁３３、第１熱交換器３４、膨張機構３５および第２熱交換器３６は、冷媒回路３１に接続されている。
【００１９】
圧縮機３２は、冷媒を圧縮する。四方弁３３は、冷房運転時と暖房運転時とで冷媒の流れる方向を切り替える。第１熱交換器３４は、冷房運転時には凝縮器として動作し、圧縮機３２により圧縮された冷媒を放熱させる。すなわち、第１熱交換器３４は、圧縮機３２により圧縮された冷媒を用いて熱交換を行う。第１熱交換器３４は、暖房運転時には蒸発器として動作し、室外空気と膨張機構３５で膨張した冷媒との間で熱交換を行って冷媒を加熱する。膨張機構３５は、凝縮器で放熱した冷媒を膨張させる。第２熱交換器３６は、暖房運転時には凝縮器として動作し、圧縮機３２により圧縮された冷媒を放熱させる。すなわち、第２熱交換器３６は、圧縮機３２により圧縮された冷媒を用いて熱交換を行う。第２熱交換器３６は、冷房運転時には蒸発器として動作し、室内空気と膨張機構３５で膨張した冷媒との間で熱交換を行って冷媒を加熱する。
【００２０】
空気調和機１００は、空気調和機１００の冷凍サイクルを制御するコントローラ３７をさらに備える。
【００２１】
図２および図３では、コントローラ３７と圧縮機３２との接続しか示していないが、コントローラ３７は、圧縮機３２だけでなく、冷媒回路３１に接続された圧縮機３２以外の構成要素に接続されてもよい。コントローラ３７は、コントローラ３７に接続されている各構成要素の状態を監視したり、制御したりする。
【００２２】
図４は、本実施の形態に係る部品カスタマイズ装置２００の構成を示す図である。
部品カスタマイズ装置２００は、コンピュータである。部品カスタマイズ装置２００は、プロセッサ９１０を備えるとともに、メモリ９２１、入力インタフェース９３０、出力インタフェース９４０、および通信装置９５０といった他のハードウェアを備える。プロセッサ９１０は、信号線を介して他のハードウェアと接続され、これら他のハードウェアを制御する。また、図示はないが、部品カスタマイズ装置２００は補助記憶装置を備えている。
【００２３】
部品カスタマイズ装置２００は、機能要素として、センサ演算部２１０と部品仕様算出部２２０と装置送信部２３０と記憶部２４０とを備える。
【００２４】
センサ演算部２１０と部品仕様算出部２２０と装置送信部２３０の機能は、ソフトウェアにより実現される。記憶部２４０は、メモリ９２１に備えられる。記憶部２４０には、居室情報２５１が設定されたライフスタイル情報２５０が記憶される。
【００２５】
図５は、本実施の形態に係る空気調和機１００の構成を示す図である。
空気調和機１００は、コンピュータを備える。空気調和機１００は、プロセッサ９１０を備えるとともに、メモリ９２１、入力インタフェース９３０、出力インタフェース９４０、および通信装置９５０といった他のハードウェアを備える。プロセッサ９１０は、信号線を介して他のハードウェアと接続され、これら他のハードウェアを制御する。また、図示はないが、空気調和機１００は補助記憶装置を備えている。
【００２６】
空気調和機１００は、機能要素として、情報受信部１１０と情報送信部１２０と制御部１３０と記憶部１４０とを備える。
【００２７】
情報受信部１１０と情報送信部１２０と制御部１３０の機能は、ソフトウェアにより実現される。記憶部１４０は、メモリ９２１に備えられる。記憶部１４０には、居室情報２５１が設定されたライフスタイル情報２５０が記憶される。また、制御部１３０は、図２および図３のコントローラ３７の例である。
【００２８】
図６は、本実施の形態に係るユーザ端末３００の構成を示す図である。
ユーザ端末３００は、コンピュータである。ユーザ端末３００は、プロセッサ９１０を備えるとともに、メモリ９２１、入力インタフェース９３０、出力インタフェース９４０、および通信装置９５０といった他のハードウェアを備える。プロセッサ９１０は、信号線を介して他のハードウェアと接続され、これら他のハードウェアを制御する。また、図示はないが、ユーザ端末３００は補助記憶装置を備えている。
【００２９】
ユーザ端末３００は、機能要素として、要求受付部３１０と仕様受信部３２０と提示部３３０と記憶部３４０とを備える。
【００３０】
要求受付部３１０と仕様受信部３２０と提示部３３０の機能は、ソフトウェアにより実現される。記憶部３４０は、メモリ９２１に備えられる。記憶部３４０には、部品仕様５３が記憶される。
【００３１】
なお、本実施の形態では、説明を簡単にするために、同様の機能を有するハードウェアには同一の符号を付している。しかし、空気調和機１００、部品カスタマイズ装置２００、およびユーザ端末３００は、それぞれに個別にハードウェアを有している。
【００３２】
プロセッサ９１０は、部品カスタマイズプログラムを実行する装置である。部品カスタマイズプログラムは、空気調和機１００の機能、部品カスタマイズ装置２００の機能、あるいはユーザ端末３００の機能を実現するプログラムである。空気調和機１００の機能は、情報受信部１１０と情報送信部１２０と制御部１３０の機能である。部品カスタマイズ装置２００の機能は、センサ演算部２１０と部品仕様算出部２２０と装置送信部２３０の機能である。ユーザ端末３００の機能は、要求受付部３１０と仕様受信部３２０と提示部３３０の機能である。以下の説明において、空気調和機１００、部品カスタマイズ装置２００、およびユーザ端末３００の少なくとも一部を、部品カスタマイズシステム５００の各装置という。また、空気調和機１００の機能、部品カスタマイズ装置２００の機能、およびユーザ端末３００の機能の少なくとも一部の機能を、部品カスタマイズシステム５００の各装置の機能という。
【００３３】
プロセッサ９１０は、演算処理を行うＩＣ（Ｉｎｔｅｇｒａｔｅｄ  Ｃｉｒｃｕｉｔ）である。プロセッサ９１０の具体例は、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００３４】
メモリ９２１は、データを一時的に記憶する記憶装置である。メモリ９２１の具体例は、ＳＲＡＭ（Ｓｔａｔｉｃ  Ｒａｎｄｏｍ  Ａｃｃｅｓｓ  Ｍｅｍｏｒｙ）、あるいはＤＲＡＭ（Ｄｙｎａｍｉｃ  Ｒａｎｄｏｍ  Ａｃｃｅｓｓ  Ｍｅｍｏｒｙ）である。
補助記憶装置は、データを保管する記憶装置である。補助記憶装置の具体例は、ＨＤＤである。また、補助記憶装置は、ＳＤ（登録商標）メモリカード、ＣＦ、ＮＡＮＤフラッシュ、フレキシブルディスク、光ディスク、コンパクトディスク、ブルーレイ（登録商標）ディスク、ＤＶＤといった可搬の記憶媒体であってもよい。なお、ＨＤＤは、Ｈａｒｄ  Ｄｉｓｋ  Ｄｒｉｖｅの略語である。ＳＤ（登録商標）は、Ｓｅｃｕｒｅ  Ｄｉｇｉｔａｌの略語である。ＣＦは、ＣｏｍｐａｃｔＦｌａｓｈ（登録商標）の略語である。ＤＶＤは、Ｄｉｇｉｔａｌ  Ｖｅｒｓａｔｉｌｅ  Ｄｉｓｋの略語である。
【００３５】
入力インタフェース９３０は、マウス、キーボード、あるいはタッチパネルといった入力装置と接続されるポートである。入力インタフェース９３０は、具体的には、ＵＳＢ（Ｕｎｉｖｅｒｓａｌ  Ｓｅｒｉａｌ  Ｂｕｓ）端子である。なお、入力インタフェース９３０は、ＬＡＮ（Ｌｏｃａｌ  Ａｒｅａ  Ｎｅｔｗｏｒｋ）と接続されるポートであってもよい。
出力インタフェース９４０は、ディスプレイといった出力機器のケーブルが接続されるポートである。出力インタフェース９４０は、具体的には、ＵＳＢ端子またはＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）端子である。ディスプレイは、具体的には、ＬＣＤ（Ｌｉｑｕｉｄ  Ｃｒｙｓｔａｌ  Ｄｉｓｐｌａｙ）である。
【００３６】
通信装置９５０は、レシーバとトランスミッタを有する。通信装置９５０は、ＬＡＮ、インターネット、あるいは電話回線といった通信網に接続している。通信装置９５０は、具体的には、通信チップまたはＮＩＣ（Ｎｅｔｗｏｒｋ  Ｉｎｔｅｒｆａｃｅ  Ｃａｒｄ）である。
【００３７】
部品カスタマイズプログラムは、部品カスタマイズシステム５００の各装置において実行される。部品カスタマイズプログラムは、プロセッサ９１０に読み込まれ、プロセッサ９１０によって実行される。メモリ９２１には、部品カスタマイズプログラムだけでなく、ＯＳ（Ｏｐｅｒａｔｉｎｇ  Ｓｙｓｔｅｍ）も記憶されている。プロセッサ９１０は、ＯＳを実行しながら、部品カスタマイズプログラムを実行する。部品カスタマイズプログラムおよびＯＳは、補助記憶装置に記憶されていてもよい。補助記憶装置に記憶されている部品カスタマイズプログラムおよびＯＳは、メモリ９２１にロードされ、プロセッサ９１０によって実行される。なお、部品カスタマイズプログラムの一部または全部がＯＳに組み込まれていてもよい。
【００３８】
部品カスタマイズシステム５００の各装置は、プロセッサ９１０を代替する複数のプロセッサを備えていてもよい。これら複数のプロセッサは、部品カスタマイズプログラムの実行を分担する。それぞれのプロセッサは、プロセッサ９１０と同じように、部品カスタマイズプログラムを実行する装置である。
【００３９】
部品カスタマイズプログラムにより利用、処理または出力されるデータ、情報、信号値および変数値は、メモリ９２１、補助記憶装置、または、プロセッサ９１０内のレジスタあるいはキャッシュメモリに記憶される。
【００４０】
部品カスタマイズシステム５００の各装置の各部の「部」を「処理」、「手順」あるいは「工程」に読み替えてもよい。また、部品カスタマイズシステム５００の各装置の各部の「部」を読み替えた「処理」を「プログラム」、「プログラムプロダクト」、「プログラムを記憶したコンピュータ読取可能な記憶媒体」、または「プログラムを記録したコンピュータ読取可能な記録媒体」に読み替えてもよい。
部品カスタマイズプログラムは、前記の各部の「部」を「処理」、「手順」あるいは「工程」に読み替えた各処理、各手順あるいは各工程を、コンピュータに実行させる。また、部品カスタマイズ方法は、部品カスタマイズシステム５００の各装置が部品カスタマイズプログラムを実行することにより行われる方法である。
部品カスタマイズプログラムは、コンピュータ読取可能な記録媒体に格納されて提供されてもよい。また、部品カスタマイズプログラムは、プログラムプロダクトとして提供されてもよい。
【００４１】
＊＊＊動作の説明＊＊＊
図７を用いて、本実施の形態に係る部品カスタマイズシステム５００の動作について説明する。部品カスタマイズシステム５００の動作手順は、部品カスタマイズ方法に相当する。また、部品カスタマイズシステム５００の動作を実現するプログラムは、部品カスタマイズプログラムに相当する。
【００４２】
＜ユーザ端末３００の処理＞
ステップＳ３０１において、要求受付部３１０は、空気調和機１００の気流に対するユーザ３０の要求であるユーザ要求５２を受け付ける。具体的には、要求受付部３１０は、ユーザ端末３００の表示画面に要求受付画面を表示し、ユーザ３０に、空気調和機１００の気流に対する要求を入力させる。例えば、ユーザ３０は、現在の気流制御部品１０２の気流到達限界範囲外まで気流を到達させたいという要求をユーザ要求５２として入力する。
ステップＳ３０２において、要求受付部３１０は、空気調和機１００を介して、ユーザ要求５２を部品カスタマイズ装置２００に送信する。
【００４３】
＜空気調和機１００の処理＞
ステップＳ１０１において、情報受信部１１０がユーザ要求５２を受信し、情報送信部１２０がユーザ要求５２を部品カスタマイズ装置２００に送信する。すなわち、空気調和機１００が、ユーザ要求５２を中継する。本実施の形態では、ユーザ要求５２は、ユーザ端末３００から空気調和機１００を介して部品カスタマイズ装置２００に送信される。しかし、ユーザ要求５２は、ユーザ端末３００から、ネットワーク２０を介して部品カスタマイズ装置２００に直接送信されてもよい。
【００４４】
＜部品カスタマイズ装置２００の処理＞
ステップＳ２０１において、部品仕様算出部２２０は、ユーザ要求５２を受信する。
ステップＳ２０２において、部品仕様算出部２２０は、ユーザ要求５２と居室情報２５１に基づいて、気流制御部品１０２をユーザ要求５２に応じてカスタマイズしたカスタマイズ部品１０３の仕様を部品仕様５３として算出する。部品仕様算出部２２０は、３次元プリンタ５０に入力されると、カスタマイズ部品１０３が３次元プリンタ５０から出力される部品仕様５３を算出する。
【００４５】
居室情報２５１は、居室４０の状況を表す。居室４０の状況とは、部屋形状、高断熱あるいは低断熱といった熱負荷、家具配置、ユーザの生活エリア、ユーザの動線、および、気流到達限界範囲を含む。
居室情報２５１は、ライフスタイル情報２５０に含まれる。
【００４６】
図８は、本実施の形態に係るライフスタイル情報２５０の一例を示す図である。
ライフスタイル情報２５０は、ユーザ３０のライフスタイルを表す情報である。ライフスタイル情報２５０には、ユーザ３０の居室情報２５１と、ユーザ３０のライフスタイル２５２とが設定される。
居室情報２５１には、部屋形状、高断熱あるいは低断熱といった熱負荷、家具配置、ユーザの生活エリア、ユーザの動線、および、気流到達限界範囲といった情報が設定される。
ライフスタイル２５２には、ユーザ３０のライフスタイルを特定するための様々な情報が設定される。例えば、ユーザ３０の性別、年齢、家族構成、職務形態、行動パターン、好み、あるいは家屋の情報といった情報が含まれていることが望ましい。また、人体の血圧、心拍、および呼吸といったバイタルデータが含まれることが望ましい。これらのライフスタイル２５２から、ライフスタイルそのものがユーザの属性として認識される。具体例として、ユーザ３０が３０代男性と３０代女性との２人世帯であれば、その世帯が子供を持たない共働き世帯であるかどうかまで認識されることが望ましい。何時に起床し、外出し、帰宅し、入浴し、就寝するかといった行動パターンも属性として認識されることが望ましい。暑がり、あるいは、寒がりといった好みも属性として認識されてもよい。あるいは、快適性重視、あるいは、省エネルギー重視といった好みが含まれていてもよい。また、物の色あるいは形状といった好みが含まれていてもよい。
【００４７】
例えば、部品仕様算出部２２０は、居室情報２５１に基づいて、ユーザ要求５２の内容が現在の気流到達限界範囲を超えているか否かを判定する。部品仕様算出部２２０は、ユーザ要求５２の内容が現在の気流到達限界範囲を超えている場合は、現在の気流到達限界範囲を超えて気流を到達させることが可能な気流制御部品の仕様を部品仕様５３として算出する。現在の気流到達限界範囲を超えて気流を到達させるための気流制御部品は、現在の気流制御部品１０２をユーザ要求５２に応じてカスタマイズしたカスタマイズ部品１０３である。
また、部品仕様算出部２２０は、ライフスタイル２５２に含まれる好みに合わせて、カスタマイズ部品１０３の形状をアレンジして、部品仕様５３を算出してもよい。また、部品仕様算出部２２０は、ライフスタイル２５２に含まれる好みに合わせて、カスタマイズ部品１０３の色を部品仕様５３に含めてもよい。例えば、部品仕様算出部２２０は、色テープあるいはカラースプレーの色番号を部品仕様５３に含めてもよい。さらに、部品仕様算出部２２０は、色テープをカットする際の型を部品仕様５３に含めてもよい。
【００４８】
なお、部品仕様算出部２２０は、気流制御部品１０２と交換するためのカスタマイズ部品１０３の部品仕様５３を算出する。あるいは、部品仕様算出部２２０は、気流制御部品１０２に装着するためのカスタマイズ部品１０３の部品仕様５３を算出してもよい。
【００４９】
ステップＳ２０３において、装置送信部２３０は、空気調和機１００を介して、部品仕様５３をユーザ端末３００に送信する。
【００５０】
＜空気調和機１００の処理＞
ステップＳ１０２において、情報受信部１１０が部品仕様５３を受信し、情報送信部１２０が部品仕様５３をユーザ端末３００に送信する。すなわち、空気調和機１００が、部品仕様５３を中継する。本実施の形態では、部品仕様５３は、部品カスタマイズ装置２００から空気調和機１００を介してユーザ端末３００に送信される。しかし、部品仕様５３は、部品カスタマイズ装置２００から、ネットワーク２０を介してユーザ端末３００に直接送信されてもよい。
このように、ユーザ端末３００と部品カスタマイズ装置２００の通信は、空気調和機１００を中継してもよいし、ユーザ端末３００と部品カスタマイズ装置２００とが直接通信してもよい。
【００５１】
＜ユーザ端末３００の処理＞
ステップＳ３０３において、仕様受信部３２０は、空気調和機１００を介して、部品カスタマイズ装置２００から送信された部品仕様５３を受信する。
ステップＳ３０４において、提示部３３０は、部品カスタマイズ装置２００から送信された部品仕様５３をユーザ３０に提示する。具体的には、提示部３３０は、部品仕様５３を記憶部３４０に記憶する。そして、提示部３３０は、ユーザ３０の求めに応じ、出力インタフェース９４０を介して、部品仕様５３をディスプレイに表示する。あるいは、提示部３３０は、部品仕様５３をプリンタに出力する。
【００５２】
ステップＳ３０５において、部品仕様５３が、３次元プリンタ５０に入力される。そして、３次元プリンタ５０は、部品仕様５３に従ったカスタマイズ部品１０３を出力する。部品仕様５３は、ユーザ端末３００から自動的に３次元プリンタ５０に入力されてもよい。あるいは、ユーザ３０が、ユーザ３０により所有される３次元プリンタ５０、あるいは、コンビニエンスストアといった他場所に設置された３次元プリンタ５０に部品仕様５３を入力してもよい。
【００５３】
３次元プリンタ５０から部品仕様５３に従ったカスタマイズ部品１０３が出力されると、ユーザ３０は、現在の気流制御部品１０２をカスタマイズ部品１０３に交換する。あるいは、ユーザ３０は、現在の気流制御部品１０２にカスタマイズ部品１０３を付加して、ユーザ要求５２に合致した最適な気流制御部品にカスタマイズする。
空気調和機１００の気流制御部品１０２の取付機構は、ユーザ３０でも簡単に交換あるいは付加できるような構成とすることが好ましい。
【００５４】
＜ライフスタイル情報２５０の更新処理＞
次に、図９を用いて、本実施の形態に係るライフスタイル情報２５０の更新処理について説明する。
ステップＳ１１１において、空気調和機１００のセンサ部１０１は、センサ情報５１を部品カスタマイズ装置２００に送信する。センサ部１０１は、センサ情報５１を定期的に部品カスタマイズ装置２００に送信する。
【００５５】
ステップＳ２１１において、部品カスタマイズ装置２００のセンサ演算部２１０は、空気調和機１００のセンサ部１０１からセンサ情報５１を受信する。
ステップＳ２１２において、センサ演算部２１０は、センサ情報５１に基づいて、ユーザ３０のライフスタイルを表すライフスタイル情報２５０であって居室情報２５１を含むライフスタイル情報２５０を演算する。例えば、センサ演算部２１０は、センサ情報５１を学習することにより、ユーザ３０のライフスタイル情報２５０を算出する。ユーザ３０のライフスタイル情報２５０には、ユーザ３０の居室情報２５１およびライフスタイル２５２が含まれる。また、センサ演算部２１０は、センサ情報５１に基づいて、ユーザ３０の好みを含むライフスタイル情報２５０を学習する。ユーザ３０の好みとは、例えば、「居室４０全体に気流が到達すること」といった内容である。
【００５６】
ステップＳ２１２において、センサ演算部２１０は、演算により得られたライフスタイル情報２５０を用いて、居室情報２５１を含むライフスタイル情報２５０を更新する。ライフスタイル情報２５０は、記憶部２４０に記憶される。居室４０の状況を表す居室情報２５１も記憶部２４０に記憶されている。
ステップＳ２１３において、センサ演算部２１０は、記憶部２４０に記憶されているライフスタイル情報２５０を更新する。このように、ライフスタイル情報２５０は、ユーザ３０に関するライフスタイルをリアルタイムに反映する情報となる。居室情報２５１もリアルタイムに更新されていく。
ステップＳ２１４において、装置送信部２３０は、通信装置９５０を介して、ライフスタイル情報２５０を空気調和機１００に送信する。
【００５７】
ステップＳ１１２において、空気調和機１００の情報受信部１１０は、ライフスタイル情報２５０を受信し、記憶部１４０に記憶する。すなわち、空気調和機の記憶部１４０のライフスタイル情報２５０もリアルタイムに更新されていく。
ステップＳ１１３において、制御部１３０は、ライフスタイル情報２５０に基づいて、空気調和機１００を制御する。
【００５８】
図１０は、本実施の形態に係る部品カスタマイズ処理の具体例を示す図である。また、図１１は、本実施の形態に係る空気調和機１００の例を示す図である。
図１０および図１１を用いて、本実施の形態に係る部品カスタマイズ処理の具体例について説明する。
図１０に示す居室４０において、リビングスペースとダイニングスペースの気流到達限界範囲が実線Ｌ１の状態である。このとき、棚７０が、リビングスペースとダイニングスペースの間に配置されたとする。すると、棚７０によりリビングスペース方向への気流の一部が遮られ、リビングスペースにおける気流到達限界範囲が点線Ｌ２の状態になったとする。このとき、センサ演算部２１０の処理により、ライフスタイル情報２５０の居室情報２５１には、リビングスペースの気流到達限界範囲が点線Ｌ２であると設定される。ユーザ３０は、リビングスペース全体に気流が到達しなくなったので、リビングスペース全体に気流が到達するようにしたいというユーザ要求５２をユーザ端末３００に入力する。
部品仕様算出部２２０は、居室情報２５１から、現在の気流到達限界範囲は点線Ｌ２であること、および、棚７０の配置といった情報を取得し、ユーザ要求５２を満たすためのカスタマイズ部品１０３の仕様を部品仕様５３として算出する。
ユーザ３０は、カスタマイズ部品１０３の部品仕様５３を受け取る。ユーザ３０は、部品仕様５３を３次元プリンタ５０に入力することにより、カスタマイズ部品１０３を取得する。そして、ユーザ３０は、現在の気流制御部品１０２をカスタマイズ部品１０３と交換、あるいは、カスタマイズ部品１０３を現在の気流制御部品１０２に付加する。
このように、ユーザ３０は、要求に応じた最適な気流制御部品を取得することができる。
カスタマイズ部品１０３は、例えば、図１１に示す上下フラップあるいは左右フラップといった気流制御部品１０２の形状、大きさ、あるいは枚数を変更したものとなる。
【００５９】
＊＊＊他の構成＊＊＊
＜変形例１＞
本実施の形態では、空気調和機１００に備えられた上下フラップあるいは左右フラップといった気流制御部品をカスタマイズする部品カスタマイズシステム５００について説明した。その他、空気調和機１００に備えられたお掃除フィルタなどにも本実施の形態を適用できる。また、空気調和機１００以外でも、ユーザの要求に応じて部品をカスタマイズすることができる電気機器であれば、本実施の形態を適用可能である。具体的には、扇風機の羽、あるいは、照明器具の反射板といった機器と部品にも本実施の形態を適用できる。
【００６０】
＜変形例２＞
部品カスタマイズシステム５００に登録しているユーザ３０には、部品仕様５３を有料でユーザ端末３００に配信するシステムとしてもよい。そして、ユーザ３０は、購入した部品仕様５３を３次元プリンタ５０に入力することにより、カスタマイズ部品１０３を取得するとしてもよい。
【００６１】
＜変形例３＞
本実施の形態では、部品カスタマイズシステム５００は、最適な部品仕様５３をユーザ３０に提供する。しかし、複数種類の部品仕様５３をユーザ３０に提供してもよい。具体的には、部品カスタマイズシステム５００は、最適バージョン、省エネルギーバージョン、および、デザイン性バージョンといったバージョンごとに部品仕様５３を提示し、ユーザ３０に選択させてもよい。この場合、部品仕様算出部２２０は、ユーザのライフスタイル情報２５０とユーザ要求５２とに基づいて、複数種類の部品仕様５３を算出しておく。そして、ユーザ端末３００は、バージョンごとに部品仕様５３を提示し、ユーザ３０に選択させる。
【００６２】
＜変形例４＞
本実施の形態では、部品仕様算出部２２０は、ユーザ３０により入力されたユーザ要求５２に基づいて、部品仕様５３を算出する。しかし、部品仕様算出部２２０は、ライフスタイル情報２５０に含まれるユーザ３０の好みをユーザ要求５２として、部品仕様５３を算出してもよい。
例えば、ライフスタイル情報２５０のライフスタイル２５２には、ユーザ３０の好みとして「居室４０全体に気流が到達すること」が設定されていたとする。図１０に示すように、部品仕様算出部２２０が、棚７０が配置されたことにより気流到達限界範囲が点線Ｌ２になったことを検知すると、気流到達限界範囲を実線Ｌ１とするためのカスタマイズ部品１０３の部品仕様５３を自動的に算出してもよい。そして、自動的に部品仕様５３がユーザ端末３００に送信されてもよい。
【００６３】
＜変形例５＞
本実施の形態では、部品カスタマイズシステム５００の各装置の機能がソフトウェアで実現される。変形例として、部品カスタマイズシステム５００の各装置の機能がハードウェアで実現されてもよい。
具体的には、部品カスタマイズシステム５００の各装置は、プロセッサ９１０に替えて電子回路９０９を備える。
【００６４】
図１２は、本実施の形態の変形例に係る部品カスタマイズ装置２００の構成を示す図である。図１３は、本実施の形態の変形例に係る空気調和機１００の構成を示す図である。図１４は、本実施の形態の変形例に係るユーザ端末３００の構成を示す図である。
電子回路９０９は、部品カスタマイズシステム５００の各装置の機能を実現する専用の電子回路である。電子回路９０９は、具体的には、単一回路、複合回路、プログラム化したプロセッサ、並列プログラム化したプロセッサ、ロジックＩＣ、ＧＡ、ＡＳＩＣ、または、ＦＰＧＡである。ＧＡは、Ｇａｔｅ  Ａｒｒａｙの略語である。ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略語である。ＦＰＧＡは、Ｆｉｅｌｄ−Ｐｒｏｇｒａｍｍａｂｌｅ  Ｇａｔｅ  Ａｒｒａｙの略語である。
【００６５】
部品カスタマイズシステム５００の各装置の機能は、１つの電子回路で実現されてもよいし、複数の電子回路に分散して実現されてもよい。
【００６６】
別の変形例として、部品カスタマイズシステム５００の各装置の一部の機能が電子回路で実現され、残りの機能がソフトウェアで実現されてもよい。また部品カスタマイズシステム５００の各装置の一部またはすべての機能がファームウェアで実現されてもよい。
【００６７】
プロセッサと電子回路の各々は、プロセッシングサーキットリとも呼ばれる。つまり、部品カスタマイズシステム５００の各装置の機能は、プロセッシングサーキットリにより実現される。
【００６８】
＊＊＊本実施の形態の効果の説明＊＊＊
通常、部屋形状あるいは家具配置といった住宅環境条件は、ユーザ宅ごとに異なる。このようにユーザ宅毎に異なる住宅環境条件の全てに対応する最適な空気調和機の気流を実現すことは、大量生産された現在の量産品においては大変困難である。
本実施の形態に係る部品カスタマイズシステム５００によれば、ユーザ宅の部屋形状、熱負荷、あるいは、家具のような障害物といった住宅環境条件を考慮し、ユーザの要求に沿った最適気流を実現できる気流制御部品をカスタマイズすることができる。よって、ユーザの住宅環境条件に対応し、快適と省エネルギーを両立する気流制御を実現することができる。
【００６９】
以上の実施の形態１では、部品カスタマイズシステム５００の各装置の各部を独立した機能ブロックとして説明した。しかし、部品カスタマイズシステム５００の各装置の構成は、上述した実施の形態のような構成でなくてもよい。部品カスタマイズシステム５００の各装置の機能ブロックは、上述した実施の形態で説明した機能を実現することができれば、どのような構成でもよい。また、部品カスタマイズシステム５００の各装置は、１つの装置でなく、複数の装置から構成されたシステムでもよい。
また、実施の形態１のうち、複数の部分を組み合わせて実施しても構わない。あるいは、これらの実施の形態のうち、１つの部分を実施しても構わない。その他、これら実施の形態を、全体としてあるいは部分的に、どのように組み合わせて実施しても構わない。
すなわち、実施の形態１では、各実施の形態の自由な組み合わせ、あるいは各実施の形態の任意の構成要素の変形、もしくは各実施の形態において任意の構成要素の省略が可能である。
【００７０】
なお、上述した実施の形態は、本質的に好ましい例示であって、本発明の範囲、本発明の適用物の範囲、および本発明の用途の範囲を制限することを意図するものではない。上述した実施の形態は、必要に応じて種々の変更が可能である。
【符号の説明】
【００７１】
１２  無線ＬＡＮ、２０  ネットワーク、３０  ユーザ、３１  冷媒回路、３２  圧縮機、３３  四方弁、３４  第１熱交換器、３５  膨張機構、３６  第２熱交換器、３７  コントローラ、４０  居室、５０  ３次元プリンタ、５１  センサ情報、５２  ユーザ要求、５３  部品仕様、７０  棚、１００  空気調和機、１０１  センサ部、１０２  気流制御部品、１０３  カスタマイズ部品、１１０  情報受信部、１２０  情報送信部、１３０  制御部、２００  部品カスタマイズ装置、２１０  センサ演算部、２２０  部品仕様算出部、２３０  装置送信部、１４０，２４０，３４０  記憶部、２５０  ライフスタイル情報、２５１  居室情報、２５２  ライフスタイル、３００  ユーザ端末、３１０  要求受付部、３２０  仕様受信部、３３０  提示部、５００  部品カスタマイズシステム、９０９  電子回路、９１０  プロセッサ、９２１  メモリ、９３０  入力インタフェース、９４０  出力インタフェース、９５０  通信装置。
【図１】
2021064914.tif 000003
【図２】
2021064914.tif 000004
【図３】
2021064914.tif 000005
【図４】
2021064914.tif 000006
【図５】
2021064914.tif 000007
【図６】
2021064914.tif 000008
【図７】
2021064914.tif 000009
【図８】
2021064914.tif 000010
【図９】
2021064914.tif 000011
【図１０】
2021064914.tif 000012
【図１１】
2021064914.tif 000013
【図１２】
2021064914.tif 000014
【図１３】
2021064914.tif 000015
【図１４】
2021064914.tif 000016
【国際調査報告】
2021064914.tif 000017
2021064914.tif 000018
2021064914.tif 000019
2021064914.tif 000020